(57)【要約】【課題】二つの電話回線と接続可能な通信装置において、送信専用で使用したい回線の電話番号を相手に通知しないような設定にする際のわかりにくさ、煩雑さを解消する。また、送信専用でない回線の電話番号を相手に通知したい場合の操作を容易にする。【解決手段】二つの電話回線と接続可能な通信装置において、各回線に対応して自機電話番号を設定することが可能な電話番号設定手段と、二つの回線のうち少なくとも一つを送信専用回線と指定することが可能な機能設定手段とを有し、送信専用回線と指定されている回線を使用して通信を行う場合、もう一方の回線が送信専用回線と指定されていなければ、送信専用回線と指定されていない方の回線に対応した自機電話番号を通信相手先に通知する通信装置。【選択図】　　　　図１
2004007193.tif 000002
【特許請求の範囲】
【請求項１】
二つの電話回線と接続可能な通信装置において、
オペレータが個々の回線ごとに該回線に対応して自機電話番号を設定することが可能な電話番号設定手段と、
前記電話番号設定手段によって設定された電話番号のうちの少なくとも一つを通信時に通信相手先に通知することが可能な電話番号通知手段と、
オペレータが二つの回線のうち少なくとも一つを送信専用回線と指定することが可能な機能設定手段と、
前記電話番号設定手段によって設定された自機電話番号のうち、どの電話番号を通信相手先に通知するかを決定する番号通知判断手段とを有し、
前記機能設定手段によって送信専用回線と指定されている回線を使用して通信を行う場合、もう一方の回線が送信専用回線と指定されていなければ、前記番号通知判断手段は送信専用回線と指定されていない方の回線に対応した自機電話番号を通信相手先に通知すると決定することを特徴とする通信装置。
【請求項２】
前記通信装置はファクシミリ装置であることを特徴とする請求項１記載の通信装置。
【請求項３】
二つの電話回線と接続した通信装置を制御可能な通信制御工程において、
オペレータが個々の回線ごとに該回線に対応して自機電話番号を設定することが可能な電話番号設定工程と、
前記電話番号設定工程によって設定された電話番号のうちの少なくとも一つを通信時に通信相手先に通知することが可能な電話番号通知工程と、
オペレータが二つの回線のうち少なくとも一つを送信専回線とすることが可能な機能設定工程と、
前記電話番号設定工程によって設定された自機電話番号のうち、どの電話番号を通信相手先に通知するかを決定する番号通知判断工程とを有し、
前記機能設定工程によって送信専用回線と指定されている回線を使用して通信を行う場合、もう一方の回線が送信用回線と指定されていなければ、前記番号通知判断工程は送信専用回線と指定されていない方の回線に対応した自機電話番号を相手先に通知すると決定することを特徴とする通信制御の記億装置。
【請求項４】
前記通信制御はファクシミリ通信の制御であることを特徴とする請求項３記載の通信制御の記憶装置。
【発明の詳細な説明】
【０００１】
【発明の属する技術分野】
本発明は、通信装置および通信制御の記憶装置に関する。
【０００２】
【従来の技術】
電話回線を通じて相手先と通信を行う通信装置においては、自機の電話番号を相手先に通知する手段を有していることが多い。例えば相手先と画像伝送を行うファクシミリ装置においては、相手先に自機の電話番号を通知する手段として、通信プロトコル上において相手先に自機電話番号を通知する方法や、自機電話番号情報を画像データに変換し送信画像と結合して相手先に送付する方法など複数の方法が一般的に用いられている。また、複数の電話回線と接続可能な通信装置においては、使用する回線ごとに通知する電話番号を設定し、通信相手先に通知することができる場合もある。
【０００３】
このように、相手先に電話番号が通知された場合、相手先のオペレータはその電話番号が送り主の電話番号であると判断し、その電話番号宛に返信をすることがしばしばある。これらの電話番号通知手段は、装置や網が自動的に行うのが一般的であり、オペレータによる煩わしい操作を必要とせずに相手先に電話番号を伝えることができる便利な機能として利用されてきた。
【０００４】
【発明が解決しようとする課題】
しかしながら、複数の電話回線を有する通信装置の場合、一方を送信専用回線とし、もう一方を受信用とした方が便利な場合がある。このような使用形態を取る場合には、送信専用回線の電話番号を相手に伝える必要はない。送信専用回線の電話番号が相手に知られてしまうと、その電話番号宛に通信がくる可能性が高くなるため、むしろ電話番号を知られないようにしなければならない。従来の通信装置では、オペレータが特に意識せずに自動的に相手先に電話番号を通知していたため、送信専用回線用として使用したい電話番号が相手先に知られてしまい、相手がその電話番号宛に送信を行ってしまうケースがあった。特に、回線の用途を送受信兼用から送信専用に変更した場合には、通信回線ごとに登録された電話番号をオペレータが意識的に削除したり、装置の設定を変更したりする必要があった。
【０００５】
また、ファクシミリ装置のように、電話番号通知手段が複数存在する場合には、装置の設定内容を何ヶ所も変更しなければならないという煩わしさがあった。
【０００６】
さらに、受信用回線の電話番号を相手先に知らせたいためには、別途相手に伝えるか、意図的に装置の設定を変更しなければならないという不便さがあった。
【０００７】
本発明は、上述の課題に鑑みてなされたもので、オペレータが通信回線の使用目的を設定することによって、通信時にどの電話番号を相手先に通知するかを決定する通信装置および制御方法を提供し、相手先に送信専用回線の電話番号を通知しないように設定するための操作上のわかりにくさを排除すること、また、複数の電話番号通知手段を有する端末においては、設定を何ヶ所も変更しなければならないという操作上の煩わしさを排除すること、さらに、受信用回線の電話番号を通知したい場合の操作の不便さを解消することを目的とする。
【０００８】
【課題を解決するための手段】
上記の目的を達成するために、本発明の請求項１記載の通信装置は、二つの電話回線と接続可能な通信装置において、オペレータが個々の回線ごとに該回線に対応して自機電話番号を設定することが可能な電話番号設定手段と、前記電話番号設定手段によって設定された電話番号のうちの少なくとも一つを通信時に通信相手先に通知することが可能な電話番号通知手段と、オペレータが二つの回線のうち少なくとも一つを送信専用回線と指定することが可能な機能設定手段と、前記電話番号設定手段によって設定された自機電話番号のうち、どの電話番号を通信相手先に通知するかを決定する番号通知判断手段とを有し、前記機能設定手段によって送信専用回線と指定されている回線を使用して通信を行う場合、もう一方の回線が送信専用回線と指定されていなければ、前記番号通知判断手段は送信専用回線と指定されていない方の回線に対応した自機電話番号を通信相手先に通知すると決定することを特徴とする。
【０００９】
また本発明の請求項２記載の通信装置は、請求項１において、前記通信装置とはファクシミリ装置であることを特徴とする。
【００１０】
また本発明の請求項３記載の通信制御の記憶装置は、二つの電話回線と接続した通信装置を制御可能な通信制御工程において、オペレータが個々の回線ごとに該回線に対応して自機電話番号を設定することが可能な電話番号設定工程と、前記電話番号設定工程によって設定された電話番号のうちの少なくとも一つを通信時に通信相手先に通知することが可能な電話番号通知工程と、オペレータが二つの回線のうち少なくとも一つを送信専用回線と指定することが可能な機能設定工程と、前記電話番号設定工程によって設定された自機電話番号のうち、どの電話番号を通信相手先に通知するかを決定する番号通知判断工程とを有し、前記機能設定工程によって送信専用回線と指定されている回線を使用して通信を行う場合、もう一方の回線が送信専用回線と指定されていなければ、前記番号通知判断工程は送信専用回線と指定されていない方の回線に対応した自機電話番号を通信相手先に通知すると決定することを特徴とする。
また本発明の請求項４記載の通信制御の記憶装置は、請求項３において、前記通信制御とはファクシミリ通信の制御であることを特徴とする。
【００１１】
（作用）
以上のような請求項１記載の通信装置および請求項３記載の通信制御の記億装置では、送信専用回線と指定されている回線を使用して通信を行う場合に、もう一方の回線が送信専用回線と指定されていなければ、送信専用回線と指定されていない方の回線に対応した自機電話番号を通信相手先に通知する。
【００１２】
請求項２記載の通信装置および請求項４記載の通信制御の記憶装置では、特にファクシミリ装置およびファクシミリ通信制御の記憶装置において同様の機能を実現する。
【００１３】
【発明の実施の形態】
以下、図面を参照して、本発明の実施例を説明する。ここでは通信装置として、特に２つの電話回線と接続可能なファクシミリ装置に関して、本発明の実施例を説明する。
【００１４】
図１は本発明の実施例に係るファクシミリ装置の構成を示すブロック図である。
【００１５】
同図において、ＣＰＵｌ０１は、システム制御部であり、装置全体を制御する。
【００１６】
ＲＯＭ１０２は、ＣＰＵの制御プログラムを格納するものである。複数設定された電話番号のうちどの電話番号を通信相手先に通知するかを決定する番号通知判断手段もＲＯＭ１０２内の制御プログラムに含まれる。ＲＡＭ１０３は、ＳＲＡＭ等で構成され、プログラム制御変数等を格納するためのものである。また、オペレータが登録した送信宛先や各種設定値、装置の管理データ類、各種ワーク用バッファもＲＡＭ１０３に格納されるものである。後述の本実施例の動作で説明する自機電話番号等もＲＡＭ１０３に格納される。蓄積メモリ１０４は、ＤＲＡＭ等で構成され、画像データを蓄積するものである。外部表示部１０５は、ＬＣＤ，ＬＥＤ等でユーザに表示通知するためのものである。スピーカ１０６は、音声によってユーザに通知、警告をしたり、ＰＳＴＮ回線（１）１０９またはＰＳＴＮ回線（２）１１１を通して送受している信号音をモニターしたりするものである。ＭＯＤＥＭ（１）１０７およびＭＯＤＥＭ（２）１１０は、ファクシミリの送受信信号の変復調を行うものであり、ＮＣＵ（１）１０８およびＮＣＵ（２）１１１は、選択信号（ダイヤルパルスまたはトーンダイヤラ）をそれぞれＰＳＴＮ回線（１）１０９およびＰＳＴＮ回線（２）１１２に送出する機能を有し、呼び出し信号の検出による自動着信動作も行う。画像処理部１１３は、読み取られた画像データに補正処理を施して高精細な画像データを出力するものである。スキャナ１１４は、ＣＳイメージセンサ、原稿搬送機構などで構成され、原稿を光学的に読み取って電気的な画像データに変換するものである。操作部１１５は、キーボード、タッチパネル等で構成され、オペレータが各種入力操作を行うためのものである。プリンタフォーマッタ１１６は、ワークステーションなど外部機器からのファイルデータのプリントを行う際に、プリンタ記述言語を解析し、画像データに変換するものである。プリンタ１１７は、受信画像やファイルデータを記録紙に記録する装置である。
【００１７】
図２は、本発明の実施例に係るファクシミリ装置の動作を示すフローチャートである。
【００１８】
以下、図１および図２を参照して、本実施例に係るファクシミリ装置の動作を説明する。
【００１９】
本実施例に係るファクシミリ装置の通信においては、相手先に自機電話番号を通知する手段として、第一にファクシミリの手順信号による方法、第二に画像データとして送信画像に付加して送出する方法の二通りの方法が存在する。
【００２０】
第一の方法は、ＩＴＵ−Ｔにより勧告化されているＧ３ファクシミリの手順によるもので、オペレータによって自機に登録された電話番号を手順信号ＴＳＩまたはＣＳＩによって送出するものである。
【００２１】
第二の方法は、ファクシミリ通信で一般的に用いられている手法で、オペレータによって自機に登録された電話番号の文字列情報または数値情報を画像データに展開し、読み込み画像の先頭に付加して、送信画像の一部として相手に電話番号情報を送出するものである。
【００２２】
また、本ファクシミリ装置では、オペレータが操作部１１４を操作することによって、あらかじめ２つの回線の各回線に対応して自機電話番号を記憶させることができる。この自機電話番号はＲＡＭ１０３に格納される。ここに格納された電話番号は、相手先に電話番号情報を送出する場合に使用される。
【００２３】
さらに、本ファクシミリ装置では、オペレータが操作部１１４を操作することによって各回線が送信専用回線であるかどうかを設定することができる。
【００２４】
本ファクシミリ装置で通信が行われる場合には、以下の処理が行われる。
【００２５】
まず、通信で使用する回線が送信専用回線と設定されているかどうかを判断する（Ｓ２０１）。ここで、その回線が送信専用回線と設定されていなければ、その回線に対応した自機電話番号を相手先に通知することを決定する（Ｓ２０３）。Ｓ２０１で使用する回線が送信専用回線と設定されていると判断された場合には、もう一方の回線が送信専用回線と設定されているかどうかを判断する（Ｓ２０２）。ここで、もう一方の回線も送信専用回線と設定されている場合、すなわち、両方の回線とも送信専用回線と設定されている場合には、いずれの自機電話番号も通知しないことを決定する（Ｓ２０５）。Ｓ２０２において、もう一方の回線が送信専用回線と設定されていないと判断されれば、送信専用回線と設定されていない回線に対応した自機電話番号を相手先に通知することを決定する（Ｓ２０４）。
【００２６】
以上のような処理によって、送信専用回線と指定された回線に対応した電話番号を通信相手先に通知しないようにすることが可能になる。
【００２７】
なお、以上のような動作はＣＰＵｌ０１がＲＯＭ１０２やＲＡＭｌ０３に記憶したプログラムに基づいて実行するものであるが、本発明は、このようなプログラムをフロッピー（Ｒ）ディスクやハードディスク、光ディスク、光磁気ディスク、ＣＤ−ＲＯＭ、メモリカード等の各種記憶媒体に格納し、これを専用の読取装置によって、コンピュータ等の情報処理装置またはファクシミリ装置内に取り込み、これをＣＰＵｌ０１で実行するようにしてもよい。
【００２８】
また、以上の実施例では、一般的なファクシミリ装置を例に説明したが、本発明はこれに限らず、例えばコピー機能や電子ファイル機能、プリンタ機能、データ処理機能等を通信機能と複合させたファクシミリ装置や電話機、読取回路や記録回路と分離された通信装置、あるいは、コンピュータ等の情報処理装置におけるデータ通信制御においても、同様に適用し得るものである。
【００２９】
【発明の効果】
以上説明したように、本発明によれば、オペレータが回線の使用目的を「送信専用」と設定することによってその回線に対応する電話番号を相手先に通知しないようにすることができる。これによって、相手先に送信専用回線の電話番号を通知しないように設定するための操作上のわかりにくさを排除すること、また、複数の電話番号通知手段を有する端末においては、設定を何ヶ所も変更しなければならないという操作上の煩わしさを排除すること、さらに、受信用回線の電話番号を通知したい場合の操作の不便さを解消することが可能になる。
【図面の簡単な説明】
【図１】本発明の一実施例によるファクシミリ装置の構成を示すブロック図である。
【図２】上記実施例によるファクシミリ装置の動作を示すフローチャートである。
【符号の説明】
１０１　ＣＰＵ
１０２　ＲＯＭ
１０３　ＲＡＭ
１０４　蓄積メモリ
１０５　外部表示部
１０６　スピーカ
１０７　ＭＯＤＥＭ（１）
１０８　ＮＣＵ（１）
１０９　ＰＳＴＮ回線（１）
１１０　ＭＯＤＥＭ（２）
１１１　ＮＣＵ（２）
１１２　ＰＳＴＮ回線（２）
１１３　画像処理部
１１４　スキャナ
１１５　操作部
１１６　プリンタフォーマッタ
１１７　プリンタ
【図１】
2004007193.tif 000003
【図２】
2004007193.tif 000004